(57)【要約】      （修正有）【課題】負荷の急変が生じても周波数応答を悪化させることなく好適な運転状態を維持することができるガスタービン発電設備を提供する。【解決手段】ガスタービン２２と、ガスタービン２２に接続された発電機２１と、ガスタービン２２の動作制御を行う制御器２３と、交流配線部３の電力を消費または蓄電するための電力吸収器７１と、交流配線部３と電力吸収器７１との間に接続された電力変換器７２と、を含む電力吸収装置と、交流配線部３における系統周波数を取得する周波数取得器１８と、を備え、制御器２３は、系統周波数と予め定められた周波数基準値との第１偏差に応じて第１燃料流量指令値を生成し、生成された第１燃料流量指令値がしきい値以下である場合には、しきい値を第２燃料流量指令値としてガスタービン２２に出力し、第１燃料流量指令値と第２燃料流量指令値との第２偏差に応じて電力吸収器７１に吸収させる電力吸収目標値を算出する。【選択図】図１
2020105928.tif 000002
【特許請求の範囲】
【請求項１】
電力負荷が接続される交流配線部に接続されるガスタービン発電設備であって、
ガスタービンと、
前記ガスタービンに接続された発電機と、
前記ガスタービンの動作制御を行う制御器と、
前記交流配線部の電力を消費または蓄電するための電力吸収器と、前記交流配線部と前記電力吸収器との間に接続された電力変換器と、を含む電力吸収装置と、
前記交流配線部における系統周波数を取得する周波数取得器と、を備え、
前記制御器は、前記系統周波数と予め定められた周波数基準値との第１偏差に応じて第１燃料流量指令値を生成し、生成された前記第１燃料流量指令値が所定のしきい値より大きい場合には、前記第１燃料流量指令値を第２燃料流量指令値として前記ガスタービンに出力し、前記第１燃料流量指令値が前記しきい値以下である場合には、前記しきい値を前記第２燃料流量指令値として前記ガスタービンに出力し、前記第１燃料流量指令値と前記第２燃料流量指令値との第２偏差に応じて前記電力吸収器に吸収させる電力吸収目標値を算出し、前記電力吸収目標値に基づいて前記電力吸収装置における電力変換を行うための駆動信号を生成し、前記駆動信号を前記電力変換器に出力する、ガスタービン発電設備。
【請求項２】
前記制御器は、前記ガスタービンに供給する燃料噴射モードとして、燃料と空気とを予め混合して噴射する第１モードと、燃料を空気とは別に噴射する第２モードと、の何れかを用いて前記ガスタービンへの燃料噴射制御を行うよう構成され、
前記しきい値は、前記第１モードの実行が維持可能な燃料流量以上の値に設定される、請求項１に記載のガスタービン発電設備。
【請求項３】
前記制御器は、前記第１燃料流量指令値が前記しきい値より低いモード切替基準値以下になった場合に、前記燃料噴射モードを、前記第１モードから前記第２モードに切り替え、前記電力吸収目標値を０にする、請求項２に記載のガスタービン発電設備。
【請求項４】
前記制御器は、前記第１燃料流量指令値が前記しきい値以下となった状態が所定の時間継続した場合に、前記燃料噴射モードを、前記第１モードから前記第２モードに切り替え、前記電力吸収目標値を０にする、請求項２または３に記載のガスタービン発電設備。
【請求項５】
前記電力吸収器は、前記交流配線部の電力を消費するための抵抗器を含む、請求項１または２に記載のガスタービン発電設備。
【請求項６】
前記電力吸収器は、前記交流配線部の電力を蓄電するための蓄電器を含む、請求項１または２に記載のガスタービン発電設備。
【請求項７】
前記制御器は、
前記第１燃料流量指令値が入力され、前記第１燃料流量指令値に対して前記しきい値を用いた制限処理を行う制限処理部と、
前記制限処理部の入力と出力との偏差に基づいて前記電力吸収目標値を算出する電力吸収目標値算出部と、を備えている、請求項１から４の何れかに記載のガスタービン発電設備。
【請求項８】
前記制御器は、
予め定められる空燃比基準値に対する前記ガスタービンに導入される空気流量の比率が大きいほど前記しきい値を大きくし、前記比率が小さいほど前記しきい値を小さくするように、前記しきい値を設定する、しきい値設定部を備えている、請求項１から７の何れかに記載のガスタービン発電設備。
【発明の詳細な説明】
【技術分野】
【０００１】
本発明は、ガスタービン発電設備に関する。
【背景技術】
【０００２】
ガスタービン発電機を用いたガスタービン発電設備は、工場等に設置される常用型の自家発電設備等に用いられる。常用型の自家発電設備は、通常時は商用電力系統等の外部電力系統に接続され、系統連系運転を行う。外部電力系統において停電等の故障が発生した場合、自家発電設備は、外部電力系統から解列し、自立運転を行う。自家発電設備に複数の負荷が接続されている場合、自立運転時において、自家発電設備は、複数の負荷のうちの一部の負荷（重要負荷）に電力供給を行う。
【０００３】
このようなことから、系統連系運転から自立運転への切り替えに伴い、自家発電設備に接続されている負荷が急変する恐れがある。また、ガスタービン発電設備が適用される電源システムによっては、自立運転時においても比較的大きな負荷変動が生じる恐れがある。特に、負荷変動により必要となる負荷電力が減少すると、自家発電設備の出力が減少し、自家発電設備に接続されている交流電力系統における系統周波数が上昇する。
【０００４】
ガスタービン発電機は、自立運転時において、回転速度（周波数）を一定に保持するように燃料流量（燃料噴射量）を調整するように制御（ガバナ制御）される。このため、系統周波数が上昇すると、それを抑えるように燃料流量が低下する。しかし、負荷変動が急激である場合に、系統周波数が急上昇すると、ガスタービン発電機がそれに追従できず、発電機が過速度により停止（トリップ）するおそれがある。
【０００５】
また、特に、ガスタービン発電機として、予め燃料と空気とを均一に混合した希薄予混合気を燃焼器に噴射し、燃焼させる燃焼方式（ＤＬＥ：Dry Low Emission方式）が開発されている。このような燃焼方式のガスタービン発電機においては、系統周波数が急上昇することにより、燃料流量が急減すると、希薄予混合気に含まれる燃料がさらに希薄化してしまい、失火するおそれがある。
【０００６】
例えば、下記特許文献１には、予混合燃焼する低ＮＯｘ燃焼器を搭載したガスタービン発電設備において、系統周波数の変動を補償するための構成が開示されている。
【先行技術文献】
【特許文献】
【０００７】
【特許文献１】特開２００３−２３９７６３号公報
【発明の概要】
【発明が解決しようとする課題】
【０００８】
特許文献１では、負荷変動時に低ＮＯｘ燃焼器に投入される空気と燃料との比率を所定範囲に維持するように動作する。この際、空気応答および燃料応答のうちの応答がより遅い空気応答に燃料応答を合わせるために、周波数に変化率を掛けて燃料制御の入力としている。このため、特許文献１のような構成では、周波数応答が悪化する。
【０００９】
本発明は、上記課題を解決するものであり、負荷の急変が生じても、周波数応答を悪化させることなく好適な運転状態を維持することができるガスタービン発電設備を提供することを目的とする。
【課題を解決するための手段】
【００１０】
本発明の一態様に係るガスタービン発電設備は、電力負荷が接続される交流配線部に接続されるガスタービン発電設備であって、ガスタービンと、前記ガスタービンに接続された発電機と、前記ガスタービンの動作制御を行う制御器と、前記交流配線部の電力を消費または蓄電するための電力吸収器と、前記交流配線部と前記電力吸収器との間に接続された電力変換器と、を含む電力吸収装置と、前記交流配線部における系統周波数を取得する周波数取得器と、を備え、前記制御器は、前記系統周波数と予め定められた周波数基準値との第１偏差に応じて第１燃料流量指令値を生成し、生成された前記第１燃料流量指令値が所定のしきい値より大きい場合には、前記第１燃料流量指令値を第２燃料流量指令値として前記ガスタービンに出力し、前記第１燃料流量指令値が前記しきい値以下である場合には、前記しきい値を前記第２燃料流量指令値として前記ガスタービンに出力し、前記第１燃料流量指令値と前記第２燃料流量指令値との第２偏差に応じて前記電力吸収器に吸収させる電力吸収目標値を算出し、前記電力吸収目標値に基づいて前記電力吸収装置における電力変換を行うための駆動信号を生成し、前記駆動信号を前記電力変換器に出力するよう構成される。
【００１１】
上記構成によれば、系統周波数と周波数基準値との偏差（第１偏差）に応じて生成される第１燃料流量指令値が所定のしきい値以下である場合に、そのしきい値を第２燃料流量指令値とし、当該第２燃料流量指令値に基づいてガスタービンの燃料流量が制御される。このとき、生成された第１燃料流量指令値と第２燃料流量指令値との偏差（第２偏差）に応じた電力吸収目標値に基づいた電力が電力変換器を通じて電力吸収器に送られ、当該電力吸収器においてその電力が吸収される。したがって、負荷の急激な変動が生じても周波数応答を悪化させることなく好適な運転状態を維持することができる。
【００１２】
前記制御器は、前記ガスタービンに供給する燃料噴射モードとして、燃料と空気とを予め混合して噴射する第１モードと、燃料を空気とは別に噴射する第２モードと、の何れかを用いて前記ガスタービンへの燃料噴射制御を行うよう構成され、前記しきい値は、前記第１モードの実行が維持可能な燃料流量以上の値に設定されてもよい。これによれば、負荷の変動によって燃料流量が急減することが防止されるため、第１モードにおける燃料噴射を維持することができる。
【００１３】
前記制御器は、前記第１燃料流量指令値が前記しきい値より低いモード切替基準値以下になった場合に、前記燃料噴射モードを、前記第１モードから前記第２モードに切り替え、前記電力吸収目標値を０にしてもよい。
【００１４】
前記制御器は、前記第１燃料流量指令値が前記しきい値以下となった状態が所定の時間継続した場合に、前記燃料噴射モードを、前記第１モードから前記第２モードに切り替え、前記電力吸収目標値を０にしてもよい。
【００１５】
前記電力吸収器は、前記交流配線部の電力を消費するための抵抗器を含んでもよい。あるいは、前記電力吸収器は、前記交流配線部の電力を蓄電するための蓄電器を含んでもよい。
【００１６】
前記制御器は、前記第１燃料流量指令値が入力され、前記第１燃料流量指令値に対して前記しきい値を用いた制限処理を行い、前記第２燃料流量指令値を出力する制限処理部と、前記制限処理部の入力と出力との偏差に基づいて前記電力吸収目標値を算出する電力吸収目標値算出部と、を備えていてもよい。
【００１７】
前記制御器は、予め定められる空燃比基準値に対する前記ガスタービンに導入される空気流量の比率が大きいほど前記しきい値を大きくし、前記比率が小さいほど前記しきい値を小さくするように、前記しきい値を設定する、しきい値設定部を備えていてもよい。これにより、設定される空燃比と実際に導入される空気流量との関係に応じて最適なしきい値の設定を行うことができる。
【発明の効果】
【００１８】
本発明によれば、負荷の急変が生じても、周波数応答を悪化させることなく好適な運転状態を維持することができる。
【図面の簡単な説明】
【００１９】
【図１】図１は、本発明の一実施の形態に係るガスタービン発電設備が適用される電源システムの概略構成を示すブロック図である。
【図２】図２は、図１に示すガスタービン発電設備における制御系の概略構成を示すブロック図である。
【図３】図３は、図２に示す周波数演算部の概略構成を示すブロック図である。
【図４】図４は、図２に示す燃料流量指令値算出部における演算態様の一例を示す図である。
【図５】図５は、図２に示すしきい値設定部における演算態様の一例を示す図である。
【図６】図６は、図２に示すモード切替部における演算態様の一例を示す図である。
【図７】図７は、図２に示す電力吸収目標値算出部における演算態様の一例を示す図である。
【図８】図８は、図２に示す駆動信号生成部における演算態様の一例を示す図である。
【図９】図９は、本実施の形態における燃料噴射モードと第１燃料流量指令値との関係を模式的に示す図である。
【図１０】図１０は、本実施の形態において負荷変動が生じた場合の各値の時間的変化を模擬的に示すグラフである。
【図１１】図１１は、図１に示す電力吸収装置の他の例における制御系の概略構成を示すブロック図である。
【図１２】図１２は、図１に示す電力吸収装置の他の例における制御系の概略構成を示すブロック図である。
【発明を実施するための形態】
【００２０】
以下、本発明の実施の形態を、図面を参照しながら説明する。なお、以下では全ての図を通じて同一または同じ機能を有する要素には同一の参照符号を付して、その重複する説明を省略する。
【００２１】
［システム構成］
以下、本発明の実施の形態について説明する。図１は、本発明の一実施の形態に係るガスタービン発電設備が適用される電源システムの概略構成を示すブロック図である。本実施の形態における電源システム１は、ガスタービン発電設備２と、ガスタービン発電設備２の発電機２１が接続される交流配線部３と、ガスタービン発電設備２とは別の電力系統（以下、外部電力系統と称する）４と交流配線部３との間の所定の解列点Ｘに設けられた遮断器（ＧＣＢ：Generator Circuit Breaker）５と、交流配線部３に接続される電力負荷（以下、単に負荷と称する）６と、を備えている。
【００２２】
ガスタービン発電設備２は、発電機２１、ガスタービン２２および制御器２３を備えている。ガスタービン２２は、タービンの回転により圧縮された空気に燃料ガスを噴射することにより燃焼を生じさせ、その燃焼によってさらにタービンを回転させる（回転を継続させる）ように構成される。発電機２１は、ガスタービン２２に接続され、ガスタービン２２の回転に基づいて発電を行うように構成される。制御器２３は、ガスタービン２２への燃料流量（燃料噴射量）の制御等の動作制御を行う。制御器２３は、例えばマイクロコントローラ等のコンピュータ、メモリおよび／または電子回路等により構成される。
【００２３】
本実施の形態において、交流配線部３は、三相３線交流系統である第１交流配線部３１と第２交流配線部３２とを含んでいる。なお、図面において交流系統は、三相３線をまとめて１本の線で表記している。発電機２１は、第１交流配線部３１に接続されている。外部電力系統４は、例えば商用電力系統である。外部電力系統４は、第２交流配線部３２に接続されている。なお、本実施の形態においては、外部電力系統４は、変圧器４１および遮断器４２を介して第２交流配線部３２に接続されている。ただし、変圧器４１および／または遮断器４２はなくてもよい。第１交流配線部３１と第２交流配線部３２との間には、遮断器５（解列点Ｘ）が設けられる。
【００２４】
負荷６は、第１交流配線部３１に接続される負荷と、第２交流配線部３２に接続される負荷とを含む。発電機２１は、外部電力系統４からの電力供給が停止された場合に、第１交流配線部３１に接続されている負荷への電力供給を維持するための構成である。また、外部電力系統４からの電力供給が停止された場合、第１交流配線部３１は、遮断器５により第２交流配線部３２および外部電力系統４から解列される。したがって、外部電力系統４からの電力供給が停止された場合に、第２交流配線部３２に接続される負荷には電力が供給されない。このようなことから、以下では、第１交流配線部３１に接続される負荷を、重要負荷６１と称し、第２交流配線部３２に接続される負荷を、一般負荷６２と称する。
【００２５】
さらに、ガスタービン発電設備２は、電力吸収装置７と、周波数取得器１８と、を備えている。電力吸収装置７は、交流配線部３（第１交流配線部３１）の電力を消費または蓄電するための電力吸収器７１と、交流配線部３と電力吸収器７１との間に接続された電力変換器７２と、を備えている。周波数取得器１８は、交流配線部３（第１交流配線部３１）における系統周波数ｆを取得する。
【００２６】
制御器２３は、自立運転時において、周波数取得器１８で取得した系統周波数ｆに基づいて燃料流量指令値（後述する第２燃料流量指令値ＦｖＭ）を生成し、ガスタービン２２に出力する。ガスタービン２２は、第２燃料流量指令値ＦｖＭに基づいて、ガバナ開度を決定し、燃料流量（燃料噴射量）を調整する。
【００２７】
本実施の形態において、制御器２３は、ガスタービン２２に供給する燃料噴射モードとして、予め燃料と空気とを均一に混合した希薄予混合気を噴射する第１（ＤＬＥ：Dry Low Emission）モードと、燃料を空気とは別に噴射する第２（拡散）モードと、の何れかを用いてガスタービン２２への燃料噴射制御を行うよう構成されている。第１モードで燃料を燃焼させることにより、燃焼空間内において局所的な高温部分のない均一な温度分布が得られ、環境負荷であるＮＯｘを低減することができる。
【００２８】
したがって、本実施の形態におけるガスタービン発電設備２においては、第１モードによる燃焼の実行をなるべく継続させることが望まれる。そこで、制御器２３は、第２燃料流量指令値ＦｖＭを、第１モードの実行が維持可能な燃料流量以上の値に維持するように制御する。
【００２９】
さらに、制御器２３は、燃料流量指令値の演算結果に基づいて電力吸収目標値Ｐｒｅｆを算出し、これに基づいて駆動信号ＳＰを生成し、電力変換器７２に出力する。電力変換器７２は、駆動信号ＳＰに基づいて、交流配線部３（第１交流配線部３１）と電力吸収器７１に接続される直流配線部７０（後述）との間で交流−直流電力変換を行う。
【００３０】
［制御態様］
図２は、図１に示すガスタービン発電設備における制御系の概略構成を示すブロック図である。本実施の形態において、電力吸収器７１は、直流配線部７０に供給される余剰電力を消費するための抵抗器により構成される。
【００３１】
本実施の形態において、電力変換器７２の交流出力端と、第１交流配線部３１との間には変圧器１４１が設けられている。これにより、第１交流配線部３１の交流電圧（系統電圧）に対して、電力変換器７２の交流出力電圧を低く抑えることができる。なお、第１交流配線部３１の交流電圧によっては変圧器１４１はなくてもよい。
【００３２】
本実施の形態において、電力変換器７２は、整流回路２８およびチョッパ回路２９を含んでいる。電力変換器７２は、第１交流配線部３１と電力吸収器７１に接続される直流配線部７０との間で交流−直流変換を行うよう構成される。直流配線部７０は、整流回路２８の出力端と電力吸収器７１との間を、チョッパ回路２９を介して接続するように構成されている。
【００３３】
このために、整流回路２８は、第１交流配線部３１から電力変換器７２に入力される交流電力を整流して直流に変換する。例えば整流回路２８は、各相にそれぞれ２つのダイオードが接続された三相ダイオード整流回路等により構成される。チョッパ回路２９は、駆動信号ＳＰに基づいてオン／オフ制御されるスイッチング素子を備え、整流回路２８により変換された直流電力を抵抗器である電力吸収器７１で消費すべき電力に降圧して出力する。例えば、スイッチング素子はＧＴＯサイリスタまたはＩＧＢＴで構成され、駆動信号ＳＰは、サイリスタまたはＩＧＢＴの通流率（点呼角）を調整する信号として構成される。
【００３４】
制御器２３は、制御ブロックとして、燃料流量指令値算出部２７１、しきい値設定部２７２、モード切替部２７３、電力吸収目標値算出部２７４、駆動信号生成部２７５および周波数演算部２０を備えている。また、ガスタービン発電設備２は、制御器２３の演算に用いる各値を取得するための構成として、交流電圧計測器２４、直流電圧計測器２５および直流電流計測器２６を備えている。
【００３５】
周波数演算部２０は、第１交流配線部３１の系統周波数ｆを、第１交流配線部３１における交流電圧から算出する。このため、交流電圧計測器２４は、第１交流配線部３１における三相交流の各相の電圧の瞬時値ｖａ，ｖｂ，ｖｃを検出する。例えば、交流電圧計測器２４として、ＰＴ(Potential Transformer)が用いられる。交流電圧計測器２４および周波数演算部２０は、周波数取得器１８を構成する。
【００３６】
制御器２３は、周波数取得器１８により得られる系統周波数ｆを用いて第２燃料流量指令値ＦｖＭおよび電力吸収目標値Ｐｒｅｆを生成する。さらに、制御器２３は、電力変換器７２に対する駆動信号ＳＰを生成するために、直流電圧計測器２５により検出される直流配線部７０の直流電圧Ｖｄｃと、直流電流計測器２６により検出される直流配線部７０の直流電流Ｉｄｃを取得する。
【００３７】
燃料流量指令値算出部２７１は、周波数取得器１８で取得された系統周波数ｆと予め定められた周波数基準値ｆｒｅｆとの間の第１偏差（周波数偏差）Δｆに応じて第１燃料流量指令値ＦｓＭを生成する。
【００３８】
［周波数演算部］
周波数演算部２０は、発電機側交流配線部３Ａにおける系統周波数ｆを演算する。図３は、図２に示す周波数演算部の概略構成を示すブロック図である。周波数演算部２０には、交流電圧計測器２４で検出された交流電圧の瞬時値ｖａ，ｖｂ，ｖｃが入力される。
【００３９】
周波数演算部２０は、入力される交流電圧の瞬時値ｖａ，ｖｂ，ｖｃを用いた公知のＰＬＬ（Phase Lock Loop）演算により、発電機側交流配線部３Ａの位相目標値φｒｅｆを演算する。周波数演算部２０は、電圧計測から得られた位相φと、ＰＬＬ演算の出力である位相目標値φｒｅｆとの偏差から回転速度ωを推定し、当該回転速度ωを積分することにより位相目標値φｒｅｆを決定する。周波数演算部２０は、推定される回転速度ωからｆ＝ω／２πを演算することにより系統周波数ｆを算出し、出力する。
【００４０】
本実施の形態において、周波数演算部２０は、αβ変換部７０１、正弦余弦演算部７０２、偏差演算部７０３、伝達関数適用部７０４、積分部７０５および周波数変換部７０６を備えている。
【００４１】
αβ変換部７０１は、交流配線部電圧の瞬時値ｖａ，ｖｂ，ｖｃをαβ変換し、二相交流電圧ｖα，ｖβを出力する。正弦余弦演算部７０２は、二相交流電圧ｖα，ｖβから発電機側交流配線部３Ａの位相φの正弦値ｓｉｎφおよび余弦値ｃｏｓφを演算する。これらの値は、以下の式で与えられる。
【００４２】
【数１】
2020105928.tif 000003
【００４３】
偏差演算部７０３は、位相φの正弦値ｓｉｎφおよび余弦値ｃｏｓφと、位相目標値φｒｅｆの正弦値ｓｉｎφｒｅｆおよび余弦値ｃｏｓφｒｅｆ（フィードバック値）からＰＬＬの偏差εを演算する。偏差εは、下記近似式で与えられる。
【００４４】
【数２】
2020105928.tif 000004
【００４５】
伝達関数適用部７０４は、上記偏差εを入力として伝達関数Ｇ（ｓ）に基づく回転速度ωの演算を行う。例えば、伝達関数Ｇ（ｓ）は、以下の式で与えられる。ここで、ＫＰは、比例ゲインを示し、ＴＩは、積分時定数を示す。
【００４６】
【数３】
2020105928.tif 000005
【００４７】
積分部７０５は、伝達関数適用部７０４から出力された回転速度ωを積分して位相目標値φｒｅｆを演算する。上述したように、出力された位相目標値φｒｅｆは、偏差演算部７０３にフィードバックされ、ＰＬＬ演算が継続される。
【００４８】
周波数変換部７０６は、上記伝達関数適用部７０４から出力される回転速度ωから系統周波数ｆ＝ω／２πの演算を行う。
【００４９】
なお、周波数演算部２０は、上記演算態様に限られず、例えばＦＶ（frequency/voltage）コンバータによって計測された交流電圧から系統周波数ｆを出力するように構成されてもよい。
【００５０】
［燃料流量指令値算出部］
図４は、図２に示す燃料流量指令値算出部における演算態様の一例を示す図である。燃料流量指令値算出部２７１は、減算器７０７、速度制御部７０８および制限処理部（リミッタ）７０９を制御ブロックとして備えている。
【００５１】
減算器７０７は、周波数取得器１８で取得された系統周波数ｆと予め定められた周波数基準値ｆｒｅｆとの第１偏差Δｆ（Δｆ＝ｆｒｅｆ−ｆ）を演算する。速度制御部７０８は、第１偏差Δｆに速度制御演算を適用する。例えば、速度制御部７０８において適用される速度制御演算は、比例積分（ＰＩ）演算または比例積分微分（ＰＩＤ）演算である。速度制御部７０８は、速度制御演算後の値を第１燃料流量指令値ＦｓＭとして出力する。この第１燃料流量指令値ＦｓＭは、仮の燃料流量指令値となる。
【００５２】
第１燃料流量指令値ＦｓＭは、リミッタ７０９に入力される。リミッタ７０９は、入力された第１燃料流量指令値ＦｓＭに対してしきい値ＦＩＭを用いた制限処理を行う。より具体的には、リミッタ７０９は、入力された第１燃料流量指令値ＦｓＭに対して所定の上限値と所定の下限値（後述するしきい値ＦＩＭ）との間に制限して第２燃料流量指令値ＦｖＭを出力する。リミッタ７０９の上限値は、ガスタービン２２のガバナ開度が最大となる値（１ＰＵ）に設定される。リミッタ７０９の下限値は、しきい値設定部２７２から出力されるしきい値ＦＩＭに設定される。
【００５３】
第２燃料流量指令値ＦｖＭは、ガスタービン２２に入力され、第２燃料流量指令値ＦｖＭに基づいてガバナ制御される。すなわち、制御器２３は、生成された第１燃料流量指令値ＦｓＭがしきい値ＦＩＭより大きい場合には、系統周波数ｆに基づく第１燃料流量指令値ＦｓＭをそのまま第２燃料流量指令値ＦｖＭとしてガスタービン２２に出力する。一方、制御器２３は、生成された第１燃料流量指令値ＦｓＭがしきい値ＦＩＭ以下である場合には、系統周波数ｆに基づく第１燃料流量指令値ＦｓＭの代わりにしきい値ＦＩＭを第２燃料流量指令値ＦｖＭとしてガスタービン２２に出力する。
【００５４】
［しきい値設定部］
図５は、図２に示すしきい値設定部における演算態様の一例を示す図である。しきい値設定部２７２は、予め定められる空燃比基準値（第１空燃比基準値ＲＩＭ）に対するガスタービン２２に導入される空気流量ＧｃＭの比率が大きいほどしきい値ＦＩＭを大きくし、その比率が小さいほどしきい値ＦＩＭを小さくするように、しきい値ＦＩＭを設定する。しきい値設定部２７２は、空気流量算出部７１０、第１空燃比基準値算出部７１１および除算器７１２を制御ブロックとして備えている。
【００５５】
空気流量算出部７１０は、大気圧Ｐａ、ガスタービン２２（発電機２１）の回転速度ωおよびガスタービン２２の吸気温度Ｔｉからガスタービン２２における現在の空気流量ＧｃＭを算出する。第１空燃比基準値算出部７１１は、吸気温度Ｔｉおよび負荷状況Ｌから第１空燃比基準値ＲＩＭを算出する。
【００５６】
大気圧Ｐａは、図示しない大気圧計測器により計測される。また、吸気温度Ｔｉは、図示しない吸気温度計測器により計測される。負荷状況Ｌは、交流配線部３に接続されている負荷６に基づいて設定される。例えば、系統連系時（遮断器５により第１交流配線部３１および第２交流配線部３２が接続されている状態）であれば、負荷状況Ｌは、重要負荷６１および一般負荷６２に対応する値に設定される。また、自立運転時（遮断器５により、第２交流配線部３２が解列している状態）であれば、負荷状況Ｌは、重要負荷６１に対応する値に設定される。
【００５７】
なお、しきい値設定部２７２において、空気流量ＧｃＭは、空気流量計等による計測によって取得されてもよい。また、第１空燃比基準値ＲＩＭは、予め設定された値でもよいし、所定の入力操作部（図示せず）を介して人手によって入力されてもよい。
【００５８】
除算器７１２は、空気流量ＧｃＭを第１空燃比基準値ＲＩＭで除算した値をしきい値ＦＩＭ（ＦＩＭ＝ＧｃＭ／ＲＩＭ）として出力する。しきい値ＦＩＭは、第１モードの実行が維持可能な燃料流量以上の値に設定される。
【００５９】
［モード切替部］
図６は、図２に示すモード切替部における演算態様の一例を示す図である。モード切替部２７３は、空気流量算出部７１０、第２空燃比基準値算出部７１３、除算器７１４およびモード判定部７１５を制御ブロックとして備えている。
【００６０】
空気流量算出部７１０は、しきい値設定部２７２における空気流量算出部と同じ構成である。したがって、しきい値設定部２７２およびモード切替部２７３の何れか一方で空気流量ＧｃＭを演算し、他方においては演算された空気流量ＧｃＭを用いて後段の演算を行ってもよい。第２空燃比基準値算出部７１３も、しきい値設定部２７２の第１空燃比基準値算出部７１１と同様に第２空燃比基準値ＲｄＭを算出する。ただし、第２空燃比基準値ＲｄＭは、第１空燃比基準値ＲＩＭ以上の値（ＲＩＭ＜ＲｄＭ）に設定される。
【００６１】
除算器７１４は、空気流量ＧｃＭを第２空燃比基準値ＲｄＭで除算した値をモード基準値ＦｄＭ（ＦＩＭ＝ＧｃＭ／ＲｄＭ）として出力する。モード基準値ＦｄＭは、しきい値設定部２７２から出力されるしきい値ＦＩＭより小さくかつ第１モードの実行が維持可能な燃料流量以上の値に設定される。
【００６２】
モード判定部７１５は、燃料流量指令値算出部２７１から出力される第１燃料流量指令値ＦｓＭが入力され、除算器７１４から入力されたモード基準値ＦｄＭと比較される。第１燃料流量指令値ＦｓＭがモード基準値ＦｄＭより大きい場合（ＦｓＭ＞ＦｄＭ）、モード判定部７１５は、第１モードから第２モードへの切り替えは不要と判定し、モード維持の情報（例えば１）を有するモード切替信号ＳＭを出力する。また、第１燃料流量指令値ＦｓＭがモード基準値ＦｄＭ以下である場合（ＦｓＭ≦ＦｄＭ）、モード判定部７１５は、第１モードから第２モードへの切り替えが必要と判定し、モード切替の情報（例えば０）を有するモード切替信号ＳＭを出力する。
【００６３】
［電力吸収目標値算出部］
図７は、図２に示す電力吸収目標値算出部における演算態様の一例を示す図である。電力吸収目標値算出部２７４は、減算器７１６および電力換算部７１７を制御ブロックとして備えている。
【００６４】
減算器７１６は、第１燃料流量指令値ＦｓＭと第２燃料流量指令値ＦｖＭとの第２偏差（指令値偏差）ΔＦ（ΔＦ＝ＦｖＭ−ＦｓＭ）を算出する。電力換算部７１７は、第２偏差ΔＦに応じて電力吸収器７１に吸収させる電力の目標値（電力吸収目標値）Ｐｒｅｆを算出する。電力換算部７１７は、例えば入力値に比例ゲインＫＰ（＜０）を乗算するように構成されている。
【００６５】
［駆動信号生成部］
駆動信号生成部２７５は、電力吸収目標値Ｐｒｅｆに基づいて電力吸収装置７における電力変換を行うための駆動信号ＳＰを生成する。本実施の形態において、駆動信号生成部２７５は、抵抗器として構成される電力吸収器７１に供給される電力が電力吸収目標値Ｐｒｅｆとなるように駆動信号ＳＰを生成する。駆動信号生成部２７５には、電力吸収目標値Ｐｒｅｆと、直流配線部７０における直流電圧Ｖｄｃおよび直流電流Ｉｄｃとが入力される。
【００６６】
図８は、図２に示す駆動信号生成部における演算態様の一例を示す図である。駆動信号生成部２７５は、除算器７１８、減算器７１９、ＰＩ演算部７２０および信号変換部７２１を制御ブロックとして備えている。駆動信号生成部２７５は、電力吸収目標値Ｐｒｅｆに基づいて、チョッパ回路２９の通流率αを算出する。
【００６７】
除算器７１８は、電力吸収目標値Ｐｒｅｆを直流電圧Ｖｄｃで除算して電流目標値Ｉｒｅｆを算出する。減算器７１９は、電流目標値Ｉｒｅｆから直流電流Ｉｄｃを差し引いた値を出力する。ＰＩ演算部７２０は、減算器７１９の出力を入力としてＰＩ演算を行う。ＰＩ演算の伝達関数Ｇ（ｓ）は上記式（３）と同様である。ＰＩ演算部７２０の出力が通流率αとなる。信号変換部７２１は、ＰＩ演算部７２０で算出された通流率αに基づいて駆動信号ＳPを生成する。より具体的には、信号変換部７２１は、チョッパ回路２９の電圧出力期間が通流率αに従うような駆動信号ＳＰを生成する。
【００６８】
［燃料流量変動抑制作用］
図９は、本実施の形態における燃料噴射モードと第１燃料流量指令値との関係を模式的に示す図である。本実施の形態においては、第１燃料流量指令値ＦｓＭがしきい値ＦＩＭより大きい場合、ガスタービン２２は、第１モードで燃料噴射を行い、その際の燃料流量は、系統周波数ｆに応じた値、すなわち、第１燃料流量指令値ＦｓＭに基づいて制御される。
【００６９】
例えば、系統連系運転から自立運転への切り替え時における負荷変動に伴って系統周波数ｆが上昇し、それを抑えるように第１燃料流量指令値ＦｓＭが低下し、しきい値ＦＩＭ以下になると、ガスタービン２２は、第１モードによる燃料噴射を継続するが、その際の燃料流量は、しきい値ＦＩＭに固定される。ガスタービン２２に供給される燃料流量が固定されることにより第１交流配線部３１に生じた余剰電力は、電力吸収装置７の電力吸収器７１によって吸収（消費）される。
【００７０】
さらに、系統周波数ｆが上昇し、それに応じて第１燃料流量指令値ＦｓＭがモード基準値ＦｄＭ以下になると、ガスタービン２２は、燃料噴射モードが第１モードから第２モードに切り替わり、燃焼を継続する。なお、ガスタービン２２における燃焼モードが第２モードである場合、制御器２３は、電力吸収目標値Ｐｒｅｆを０にする。すなわち、制御器２３は、電力変換器７２に出力する駆動信号ＳＰとしてＳＰ＝０を出力する。
【００７１】
なお、第１燃料流量指令値ＦｓＭがしきい値ＦＩＭ以下かつモード基準値ＦｄＭより大きい値である場合であっても、その状態が所定の時間継続した場合には、制御器２３は、ガスタービン２２の燃料噴射モードを第１モードから第２モードに切り替え（モード切替信号ＳＭ＝０を出力し）、電力吸収目標値Ｐｒｅｆを０にする（電力変換器７２に出力する駆動信号ＳＰとしてＳＰ＝０を出力する）。これにより、異常発生による定常的な負荷の低下を検出することができる。また、電力吸収器７１における過度の電力吸収を防止することができる。
【００７２】
上記制御の実現のために、制御器２３は、第１燃料流量指令値ＦｓＭがしきい値ＦＩＭ以下であるか否かを検出する第１燃料流量指令値検出部と、しきい値ＦＩＭ以下となった場合にカウントを開始するタイマと、タイマにおけるカウントが所定の時間を経過した場合に、モード切替部２７３に、第１モードから第２モードに切り替えるモード切替信号ＳＭ＝０を出力させ、電力吸収目標値算出部２７４に、０を出力させるための中断信号を出力する中断信号生成部と、を備えている（何れも図示せず）。
【００７３】
本実施の形態におけるガスタービン発電設備２によれば、系統周波数ｆと周波数基準値ｆｒｅｆとの偏差（第１偏差）Δｆに応じて生成される第１燃料流量指令値ＦｓＭが所定のしきい値ＦＩＭ以下である場合に、第１燃料流量指令値ＦｓＭをそのままガスタービン２２の指令値（第２燃料流量指令値ＦｖＭ）とはせずに、そのしきい値ＦＩＭを第２燃料流量指令値ＦｖＭとし、当該第２燃料流量指令値ＦｖＭに基づいてガスタービン２２の燃料流量が制御される。このとき、生成された第１燃料流量指令値ＦｓＭと第２燃料流量指令値ＦｖＭとの偏差（第２偏差）ΔＦに応じた電力（電力吸収目標値Ｐｒｅｆ）が電力変換器７２を通じて電力吸収器７１に送られ、当該電力吸収器７１においてその電力が吸収される。したがって、系統周波数ｆのみに基づく簡単な制御態様で、負荷の変動に伴う燃料噴射量の変動を抑制することができる。この結果、負荷の急激な変動が生じても周波数応答を悪化させることなく好適な運転状態を維持することができる。
【００７４】
図１０は、本実施の形態において負荷変動が生じた場合の各値の時間的変化を模擬的に示すグラフである。図１０は、上から順に、負荷率ＲＬ［％］、回転速度ω＝２πｆ［％］、第２燃料流量指令値ＦｖＭ［ｋｇ／ｓ］、電力吸収目標値Ｐｒｅｆ［ｋＷ］、および燃料噴射モード（モード切替信号）ＳＭの時間的変化を示すグラフである。第２燃料流量指令値ＦｖＭ、電力吸収目標値Ｐｒｅｆおよびモード切替信号ＳＭの時間的変化を示すグラフにおいては、グラフＥが本実施の形態に相当するグラフであり、グラフＣは本実施の形態における制御を行わない比較例を示すグラフである。なお、比較例においてはしきい値ＦＩＭを下回ると燃料噴射モードを第１モードから第２モードに切り替えるとする。
【００７５】
図１０においては、時刻ｔ１に負荷率ＲＬが急減し、それに伴って発電機２１の回転速度ω（すなわち系統周波数ｆ）が上昇している。系統周波数ｆの上昇に伴って第１燃料流量指令値ＦｓＭに一致する第２燃料流量指令値ＦｖＭが低減し、時刻ｔ２においてしきい値ＦＩＭに達する。比較例のグラフＣにおいて、燃料流量指令値はあくまで系統周波数ｆに伴って変化するため、燃料流量指令値はしきい値ＦＩＭを下回る。この結果、燃料噴射モードは、第１モードから第２モードに切り替えられる。
【００７６】
一方、本実施の形態におけるガスタービン発電設備２によれば、実施例のグラフＥに示されるように、第２燃料流量指令値ＦｖＭは、しきい値ＦＩＭを下回ることはなくなり、しきい値ＦＩＭより低い値に設定されるモード基準値ＦｄＭ以下にならない限り、第１モードが継続される。さらに、図１０に示す電力吸収目標値Ｐｒｅｆの時間的変化を示すグラフによれば、第２燃料流量指令値ＦｖＭが下限値であるしきい値ＦＩＭによって制限されることによって第１交流配線部３１に生じた余剰電力が、電力吸収装置７によって吸収（消費）されていることが示されている。
【００７７】
以上のように、負荷の変動によって燃料流量が急減することが防止されるため、系統連系運転から自立運転への切り替え時に過渡的な負荷変動が生じても低ＮＯｘを実現することができる第１モードにおける燃料噴射を維持することができる。また、本実施の形態においては、しきい値ＦＩＭが第１空燃比基準値ＲＩＭと実際に導入される空気流量ＧｃＭとの関係に応じて設定されるため、第１モードを維持するための最適なしきい値ＦＩＭの設定を自動的に行うことができる。
【００７８】
また、系統連系運転から自立運転への切り替え時に生じる過渡的な負荷変動によって第１燃料流量指令値ＦｓＭがしきい値ＦＩＭ以下となる時間は、非常に短く、その回数も比較的少ない。このため、第１燃料流量指令値ＦｓＭがしきい値ＦＩＭ以下となっている期間において電力吸収を行う電力吸収器７１の容量は、比較的小容量とすることができる。したがって、設備コストの増大を抑制することができる。また、電力吸収器７１で吸収される電力量は、上記の通り少ないため、本実施の形態のガスタービン発電設備２における電力の損失は比較的小さく抑えることができる。
【００７９】
［他の実施の形態］
以上、本発明の実施の形態について説明したが、本発明は上記実施の形態に限定されるものではなく、その趣旨を逸脱しない範囲内で種々の改良、変更、修正が可能である。
【００８０】
例えば、上記実施の形態においては、電力吸収装置７の電力変換器７２が、整流回路およびチョッパ回路を含み、第１交流配線部３１と抵抗器である電力吸収器７１との間で交流−直流変換を行う態様を例示したが、第１交流配線部３１の電力を、電力吸収器７１において吸収するための構成であればこれに限られない。
【００８１】
例えば、電力変換器７２は、第１交流配線部３１と電力吸収器７１との間で交流−交流変換を行う態様としてもよい。この場合、例えば、電力吸収器７１は、交流電力調整回路、サイクロコンバータ回路またはマトリックスコンバータ回路等の交流コンバータ回路でもよい。
【００８２】
図１１は、図１に示す電力吸収装置の他の例における制御系の概略構成を示すブロック図である。図２と同様の構成については同じ符号を付し、説明を省略する。本変形例における電力変換装置７Ｂの電力変換器７２Ｂは、第１交流配線部３１と電力吸収器７１とを変圧器１４１を介して交流接続するように構成されている。変圧器１４１より電力変換器７２Ｂ側の交流配線部を第３交流配線部３３とする。
【００８３】
電力変換器７２Ｂは、第３交流配線部３３の各線に接続されるサイリスタ等のスイッチング素子を備えた交流コンバータ回路１６０を備えている。電力変換器７２Ｂは、電力変換器７２Ｂに入力される（すなわち、第３交流配線部３３の）交流電圧ＶＡＣおよび交流電流ＩＡＣを計測する電力変換器交流電圧計測器１６１および電力変換器交流電流計測器１６２を備えている。
【００８４】
制御器２３の構成は、駆動信号生成部２７５Ｂを除いて同様である。駆動信号生成部２７５Ｂには、電力吸収目標値算出部２７４で生成された電力吸収目標値Ｐｒｅｆと、第３交流配線部３３の交流電圧ＶＡＣおよび交流電流ＩＡＣとが入力される。
【００８５】
本変形例における駆動信号生成部２７５Ｂは、電力吸収目標値Ｐｒｅｆに基づいて、交流コンバータ回路１６０の制御遅れ角α’を算出する。ただし、上記実施の形態におけるチョッパ回路２９の通流率αも交流コンバータ回路１６０の制御遅れ角α’も電力吸収器７１に印加される電圧の出力期間（デューティ比）を定める値であることに変わりがない。
【００８６】
したがって、本変形例における駆動信号生成部２７５Ｂも上記実施の形態における駆動信号生成部２７５（図８）と同様の構成とすることができる。ただし、除算器７１８には、直流電圧Ｖｄｃの代わりに交流電圧ＶＡＣが入力され、減算器７１９には、直流電流Ｉｄｃの代わりに交流電流ＩＡＣが入力される。ＰＩ演算部７２０の出力が制御遅れ角α’となる。信号変換部７２１は、交流コンバータ回路１６０の電圧出力期間が制御遅れ角α’に従うような駆動信号ＳＰを生成する。このように、電力吸収器７１で電力を消費させるための電力変換器７２，７２Ｂは、交流−直流変換方式および交流−交流変換方式の何れをも採用できる。
【００８７】
また、上記実施の形態においては、電力吸収装置７の電力吸収器７１が抵抗器である態様について説明したが、これに限られない。例えば、電力吸収器７１が第１交流配線部３１の電力を蓄電する蓄電器で構成されてもよい。蓄電器は、例えば二次電池でもよいし、電気二重層キャパシタでもよい。駆動信号ＳＰに応じて第１交流配線部３１から直流配線部７０に電力が供給され、蓄電器が充電されることにより当該電力が吸収される。
【００８８】
図１２は、図１に示す電力吸収装置の他の例における制御系の概略構成を示すブロック図である。図２と同様の構成については同じ符号を付し、説明を省略する。本変形例における電力吸収装置７Ｃの電力吸収器７１Ｃは、蓄電器により構成される。この場合の電力変換器７２Ｃは、ＩＧＢＴ等のスイッチング素子（図示せず）からなる電力変換回路により構成される。制御器２３が生成する駆動信号ＳＰは、電力変換器７２Ｃのスイッチング素子をオン／オフ制御するための駆動信号であり、駆動信号ＳＰを送信することにより交流配線部３（第１交流配線部３１）と直流配線部７０との間の電力変換制御を行うための信号である。
【００８９】
本変形例における制御器２３も、上記実施の形態における制御器２３の制御ブロック２７１，２７２，２７３，２７４を備えている。さらに、制御器２３は、上記実施の形態における周波数演算部２０と同じ制御ブロックの機能を含む周波数・電圧演算部２０Ｃを備えている。周波数・電圧演算部２０Ｃは、交流電圧計測器２４で計測される交流電圧の瞬時値から、系統周波数ｆを算出するとともに、第１交流配線部３１におけるｄ軸電圧Ｖｄ、ｑ軸電圧Ｖｑ、交流電圧（実効値）Ｖａｃおよび位相φを算出する。なお、駆動信号ＳＰを生成する際に用いられる交流電圧Ｖａｃは系の安定性を確保するため固定値でもよい。
【００９０】
また、本変形例における電力吸収装置７Ｃは、第１交流配線部３１の交流電流を計測する交流電流計測器１６３を備えている。制御器２３は、交流電流計測器１６３で計測される交流電流の瞬時値および周波数・電圧演算部２０Ｃで算出される位相φからｄ軸電流Ｉｄおよびｑ軸電流Ｉｑを算出する。
【００９１】
さらに、制御器２３は、電力吸収目標値算出部２７４で算出された電力吸収目標値Ｐｒｅｆから電力変換器７２Ｃを駆動するための駆動信号ＳＰを生成する駆動信号生成部２７５Ｃを備えている。駆動信号生成部２７５Ｃには、電力吸収目標値Ｐｒｅｆに加えて、交流電圧Ｖｄ，Ｖｑ，Ｖａｃ、交流電流Ｉｄ，Ｉｑおよび位相φが入力される。
【００９２】
駆動信号生成部２７５Ｃは、下記式により電力吸収目標値算出部２７４で算出される電力吸収目標値Ｐｒｅｆから交流電流目標値Ｉｄ＿ｒｅｆ，Ｉｑ＿ｒｅｆを算出する。
【００９３】
【数４】
2020105928.tif 000006
【００９４】
なお、本実施の形態において、無効電力目標値Ｑｒｅｆは０に設定される。すなわち、ｑ軸電流目標値Ｉｑ＿ｒｅｆは、０である。このため、駆動信号生成部２７５Ｃに、ｑ軸電流目標値Ｉｑ＿ｒｅｆの値として予め０を与えてもよい。
【００９５】
さらに、駆動信号生成部２７５Ｃは、第１交流配線部３１の交流電流Ｉｄ，Ｉｑが交流電流目標値Ｉｄ＿ｒｅｆ，Ｉｑ＿ｒｅｆになるような駆動信号ＳＰを求め、電力変換器７２Ｃに出力する。具体的には、駆動信号生成部２７５Ｃは、下記式により交流電流目標値Ｉｄ＿ｒｅｆ，Ｉｑ＿ｒｅｆから交流電圧目標値Ｖｄ＿ｒｅｆ，Ｖｑ＿ｒｅｆを算出する。ここで、Ｋｄ，Ｋｑは所定のゲインを表し、Ｔｉｄ，Ｔｉｑは、所定の時定数を表す。
【００９６】
【数５】
2020105928.tif 000007
【００９７】
駆動信号生成部２７５Ｃは、下記式により交流電圧目標値Ｖｄ＿ｒｅｆ，Ｖｑ＿ｒｅｆから三相交流である第１交流配線部３１の各瞬時電圧Ｖａ，Ｖｂ，Ｖｃの目標値Ｖａ＿ｒｅｆ，Ｖｂ＿ｒｅｆ，Ｖｃ＿ｒｅｆを算出する。
【００９８】
【数６】
2020105928.tif 000008
【００９９】
また、上記実施の形態においては、しきい値ＦＩＭが第１空燃比基準値ＲＩＭに対する空気流量ＧｃＭの割合に応じて変化する態様を例示したが、これに限られない。例えば、しきい値ＦＩＭは、固定値でもよい。また、所定の入力部（図示せず）からユーザが任意の値を入力することにより、しきい値ＦＩＭが設定されてもよい。
【０１００】
また、上記実施の形態においては、電源システムが適用される交流配線部３が三相系統である場合について説明したが、これに限られない。例えば、交流配線部３が単相二線系統または単相三線系統の場合であっても、各種演算の方法が系統の方式に応じて異なることを除いて同様の電源システムを構築可能である。
【０１０１】
また、上記実施の形態においては、１つの交流配線部３（第１交流配線部３１）に１つの発電機２１が接続された例について説明したが、１つの交流配線部３に２以上の発電機２１が接続されてもよい。また、１つの交流配線部３にガスタービン発電設備２の発電機２１と、ガスタービン発電設備２以外の発電設備（例えばガスエンジン発電設備）の発電機とが接続されてもよい。
【０１０２】
また、ガスタービン発電設備２の発電機２１が接続される交流配線部３（第１交流配線部３１）に太陽光発電設備等の再生可能エネルギーによる他の発電設備が接続されていてもよい。この場合、再生可能エネルギーの変動（急増）により、ガスタービン２２の燃料噴射モードが第１モードから第２モードに切り替わってしまうことを抑制することができる。
【産業上の利用可能性】
【０１０３】
本発明は、負荷の急変が生じても周波数応答を悪化させることなく好適な運転状態を維持するために有用である。
【符号の説明】
【０１０４】
２  ガスタービン発電設備
３  交流配線部
４  外部電力系統（別の電力系統）
６  負荷（電力負荷）
７  電力吸収装置
１８  周波数取得器
２１  発電機
２２  ガスタービン
２３  制御器
７１  電力吸収器
７２  電力変換器
２７２  しきい値設定部
２７４  電力吸収目標値算出部
７０９  制限処理部（リミッタ）
【図１】
2020105928.tif 000009
【図２】
2020105928.tif 000010
【図３】
2020105928.tif 000011
【図４】
2020105928.tif 000012
【図５】
2020105928.tif 000013
【図６】
2020105928.tif 000014
【図７】
2020105928.tif 000015
【図８】
2020105928.tif 000016
【図９】
2020105928.tif 000017
【図１０】
2020105928.tif 000018
【図１１】
2020105928.tif 000019
【図１２】
2020105928.tif 000020